(57)【特許請求の範囲】
【請求項１】
クロルヘキシジン、クロルヘキシジン塩、ジクロロフェンおよびトリクロサンからなる群から選択される抗菌剤と、少なくとも２％（ｗ／ｖ）のアルキル多糖界面活性剤と、少なくとも１種のアルキルアルコールと、少なくとも１種のアリールアルコールとを含む、シュードモナス属微生物に有効な消毒洗浄組成物であって、アルキルアルコール及びアリールアルコールの合計量が少なくとも組成物の５５％（ｗ／ｖ）である、組成物。
【請求項２】
アリールアルコールが、ベンジルアルコール、フェニルエチルアルコール、フェノキシエタノール、フェノキシプロパノールまたはそれらの塩素化誘導体からなる群から選択されることを特徴とする、請求項１に記載の組成物。
【請求項３】
アルキル多糖が、一般式：
0004172659.tif 000005
〔式中、ｎは５〜１９の整数であり、ｍは１〜３の整数である〕
によって表されるアルキル多糖であることを特徴とする、請求項１または２に記載の組成物。
【請求項４】
界面活性剤アルキル多糖が、マルトース、アラビノース、キシロース、マンノース、ガラクトース、グロース、イドース、タロース、アロース、アルトロース、スクロース、フルクトース、ソルボース、レブロース、ラクトース、アルロース、タガトース、アロヘプツロース、セドヘプツロース、グルコヘプツロース、マンノヘプツロース、グロヘプツロース、イドヘプツロース、ガラクトヘプツロース、タロヘプツロース及びそれらの誘導体からなる群から選択される１種以上の糖単位を含むことを特徴とする、請求項１から３のいずれか一項に記載の組成物。
【請求項５】
クロルヘキシジンの塩が、グルコネート、イセチオネート、ホルメート、アセテート、グルタメート、スクシナメート、モノジグリコレート、ジメタンスルホネート、ラクテート、ジイソブチレートおよびグルコヘプトネートの塩からなる群から選択されることを特徴とする、請求項１から４のいずれか一項に記載の組成物。
【請求項６】
抗菌剤がクロルヘキシジンジグルコネートであることを特徴とする、請求項５に記載の組成物。
【請求項７】
クロルヘキシジンジグルコネートの量が４．５％（ｗ／ｖ）を超えないことを特徴とする、請求項６に記載の組成物。
【請求項８】
抗菌剤が、２，４，４−トリクロロ−２−ヒドロキシジフェニルエーテルであることを特徴とする、請求項１から４のいずれか一項に記載の組成物。
【請求項９】
２，４，４−トリクロロ−２−ヒドロキシジフェニルエーテルの量が３％（ｗ／ｖ）を超えないことを特徴とする、請求項８に記載の組成物。
【請求項１０】
抗菌剤が、周囲温度で０．００１％（ｗ／ｖ）以上の水への溶解度を有することを特徴とする、請求項１から９のいずれか一項に記載の組成物。
【請求項１１】
アルキルアルコールが、炭素原子数６個未満の低級アルキルアルコールであることを特徴とする、請求項１から１０のいずれか一項に記載の組成物。
【請求項１２】
低級アルキルアルコールが、エタノール、イソプロパノールもしくはｎ−プロパノールまたはそれらの組み合わせであることを特徴とする、請求項１１に記載の組成物。
【請求項１３】
低級アルキルアルコールが、イソプロパノールもしくはｎ−プロパノールまたはそれらの組み合わせであることを特徴とする、請求項１１に記載の組成物。
【請求項１４】
アリールアルコールの量が３％（ｗ／ｖ）を超えないことを特徴とする、請求項１から１３のいずれか一項に記載の組成物。
【請求項１５】
（ａ）可溶化剤（ｂ）発泡剤（ｃ）１種以上の粘度調節剤（ｄ）保存剤（ｅ）着色剤、香料、酸化防止剤、皮膚軟化剤、モイスチャライザー、安定剤及び増粘剤からなる群から選択される少なくとも１種の添加剤、及び（ｆ）追加の界面活性剤からなる群から選択される１種以上の成分をさらに含むことを特徴とする、請求項１〜１４のいずれか一項に記載の組成物。
【請求項１６】
可溶化剤が、プロピレングリコール、水向性付与剤またはそれらの混合物であることを特徴とする、請求項１５に記載の組成物。
【請求項１７】
水向性付与剤が、尿素、クメンスルホネート、トルエンスルホネート、キシレンスルホネートならびにクエン酸および他のヒドロキシカルボン酸のエタノールアミン塩からなる群から選択されることを特徴とする、請求項１６に記載の組成物。
【請求項１８】
発泡剤が、アルキルアミノオキシド、アルキルモノエタノールアミドまたはアルキルジエタノールアミドであることを特徴とする、請求項１５から１７のいずれか一項に記載の組成物。
【請求項１９】
発泡剤が、ラウリル濃縮物、ココジエタノールアミド濃縮物、モノエタノールアミド濃縮物、ラウリルジメチルアミンオキシドおよびセチルジメチルアミンオキシドからなる群から選択されることを特徴とする、請求項１８に記載の組成物。
【請求項２０】
粘度調節剤が、セルロース誘導体、グアル樹脂およびカルボポル樹脂からなる群から選択されることを特徴とする、請求項１５から１９のいずれか一項に記載の組成物。
【請求項２１】
保存剤が、イミダゾリジニル誘導体、尿素誘導体、メチルｐ−ヒドロキシ安息香酸エステルおよびプロピルｐ−ヒドロキシ安息香酸エステルからなる群から選択されることを特徴とする、請求項１５から２０のいずれか一項に記載の組成物。
【請求項２２】
増粘剤がカルボキシメチルセルロースであることを特徴とする、請求項１５から２１のいずれか一項に記載の組成物。
【請求項２３】
追加の界面活性剤が、両性界面活性剤、アニオン界面活性剤および非イオン界面活性剤からなる群から選択されることを特徴とする、請求項１５から２２のいずれか一項に記載の組成物。
【請求項２４】
追加の界面活性剤が第四級アンモニウム化合物または高発泡アニオン界面活性剤を包含することを特徴とする、請求項２３に記載の組成物。
【請求項２５】
高発泡アニオン界面活性剤が、ラウリルエトキシスルホネート、サルコシネートおよび２−ラウリルエーテル硫酸ナトリウムからなる群から選択されることを特徴とする、請求項２４に記載の組成物。
【請求項２６】
ｐＨが８以下であることを特徴とする、請求項１から２５のいずれか一項に記載の組成物。
【請求項２７】
ｐＨが５〜７の範囲であることを特徴とする、請求項２６に記載の組成物。
【請求項２８】
有機酸を用いてｐＨを調整することを特徴とする、請求項２６または２７に記載の組成物。
【請求項２９】
有機酸が、乳酸、酢酸、クエン酸およびグルコン酸からなる群から選択されることを特徴とする、請求項２８に記載の組成物。
【請求項３０】
シュードモナス属微生物を含めた細菌で汚染された表面と、請求項１から２９のいずれか一項に記載の消毒剤洗浄組成物とを接触させることを含むことを特徴とする、前記表面の汚染除去法。
【発明の詳細な説明】
発明の分野
本発明は消毒洗浄組成物に関する。
発明の背景
皮膚接触を介した病原微生物の伝播により感染が広がることは公知である。これまで、そのような微生物の存在を減少させるために、感染した皮膚を界面活性剤を含む溶液でこすって洗い、その後で消毒剤を塗布する方法が知られている。
ここ数年の間に、抗菌剤と界面活性剤の両方を含む組成物を製造して、洗浄作用と消毒作用を組み合わせて単一の作業にするのが望ましいとの提案がなされてきた。しかし、多くの抗菌剤、例えば、クロルヘキシジン［Ｎ，Ｎ′−ビス（４−クロロフェニル）−３，１２−ジイミノ  ２，４，１１，１３−テトラアザテトラデカンジイミドアミド］ジグルコネートや他のクロルヘキシジン塩などは、アニオン界面活性剤とは非親和性であり、また、非イオン界面活性剤を用いると抗菌活性が低下してしまう。従って、充分な泡の生成に必要な界面活性剤の量で十分な殺生物活性を維持するためには、抗菌剤の量を増やす必要が生じる。
特に、Ｉｍｐｅｒｉａｌ  Ｃｈｅｍｉｃａｌ  Ｉｎｄｕｓｔｒｉｅｓ社に譲渡されたＵＳ３，８５５，１４０は、クロルヘキシジンの可溶性塩とポリオキシエチレンポリオキシプロピレンブロックコポリマーとの組み合わせを含む皮膚洗浄組成物を記載している。ポリマーを十分に発泡させるためには、２０〜２５％もの高比率の界面活性剤を使う必要がある。その結果、所望の抗菌活性を維持するために多量のクロルヘキシジンが必要となる。上述のような多量の界面活性剤を用いるのは望ましくない。というのは、界面活性剤は、脂肪分を取り去って皮膚に悪影響を及ぼし、また、クロルヘキシジンなどの殺生物剤と組み合わせると皮膚に炎症を起こす可能性があることが知られているからである。さらに、組成物の成分の費用が嵩むであろう。
従って、十分な抗菌活性や発泡力が維持しながら抗菌剤と界面活性剤の量を減少させた組成物を提供することが望ましいであろう。
ＷＯ９５／０９６０５は、そのような組成物を提供するために、フェノール性消毒剤とアルキルポリグリコシド界面活性剤を組み合わせた組成物を教示している。しかし、この特許でも指摘されているように、そのような組成物は、大抵の微生物に対して良好な殺生物活性を示しはするが、微生物緑膿菌（Ｐｓｅｕｄｏｍｏｎａｓ  ａｅｒｕｇｉｎｏｓａ）で汚染された表面を消毒することができない。この組成物は緑膿菌に対して不活性なのである。
本発明の目的は、従来技術の不利点を実質的に改良することである。
発明の説明
本発明の第１の態様により、抗菌剤と、有効量のアルキル多糖界面活性剤と、少なくとも１種のアルキルアルコールと、少なくとも１種のアリールアルコールとを含む消毒洗浄組成物が提供される。
本発明の第２の態様により、シュードモナス属微生物を含めた細菌で汚染された表面の汚染除去法が提供される。この方法は、汚染された表面と上記第１の態様の消毒洗浄組成物とを接触させることを含む。
典型的には、この洗浄組成物は、不活性担体と、場合によって他の添加剤とを含む。
アルキル多糖界面活性剤は、当技術分野ではアルキルポリグルコシドとしても知られているが、以下の説明においては、界面活性剤をアルキル多糖と称する。
組成物中の界面活性剤含量は６％（ｗ／ｖ）を超えないことが好ましい。
アルキル多糖は、一般式：
0004172659.tif 000002
〔式中、ｎは５〜１９の整数であり、
ｍは１〜３の整数である〕
によって表されるアルキル多糖であるのが好ましい。
上記一般式において、示されている界面活性剤アルキル多糖はグルコース単位を含んでいるが、本発明はこれには限定されず、１個以上の前記グルコース単位の代わりに他の糖単位を置換して用いてもよい。アルキル多糖に含まれる他の糖単位には、マルトース、アラビノース、キシロース、マンノース、ガラクトース、グロース、イドース、タロース、アロース、アルトロース、スクロース、フルクトース、ソルボース、レブロース、ラクトース、アルロース、タガトース、アロヘプツロース、セドヘプツロース、グルコヘプツロース、マンノヘプツロース、グロヘプツロース、イドヘプツロース、ガラクトヘプツロース、タロヘプツロース及びそれらの誘導体が含まれる。
適当な抗菌剤としては、クロルヘキシジンおよびその塩；ジクロロフェン、他のクロロフェノール誘導体（例えば、ｐ−クロロ−ｍ−キシレノール、クロロフェンおよびｏ−フェニルフェノール）、２，４，４−トリクロロ−２−ヒドロキシ−ジフェニルエーテル（トリクロサン）；オクテニジンジヒドロクロリド（ＣＨ3−（ＣＨ2）7−ＮＨＯＮ−（ＣＨ2）10−ＮＯ−ＮＨ（ＣＨ2）7−ＣＨ2）またはその他の塩、および第四級アンモニウム化合物が挙げられる。
クロルヘキシジンの適当な塩には、グルコネート、イセチオネート、ホルメート、アセテート、グルタメート、スクシナメート、モノジグリコレート、ジメタンスルホネート、ラクテート、ジイソブチレートまたはグルコヘプトネートの塩が含まれる。
抗菌剤は、周囲温度での水への溶解度が０．００１％（ｗ／ｖ）以上であるのが好ましい。
抗菌剤がクロルヘキシジンジグルコネートの場合、抗菌剤は４．５％（ｗ／ｖ）を超えない量で用いるのが好ましい。抗菌剤が２，４，４−トリクロロ−２−ヒドロキシジフェニルエーテル（トリクロサン）の場合、抗菌剤は３％（ｗ／ｖ）を超えない量で用いるのが好ましい。
アルキルアルコールは低級アルキルアルコール（本明細書においては、炭素原子数が６個未満のアルコールと定義される）、例えば、エタノール、イソプロパノールまたはｎ−プロパノールであるのが好ましく、アルキルアルコールがイソプロパノールまたはｎ−プロパノールであれば最も好ましい。アルコール含量は７０％（ｗ／ｖ）を超えないのが好ましい。組成物が水溶液の場合（例えば、手の洗浄用）、アルキルアルコールは、イソプロパノールもしくはｎ−プロパノールまたはそれらの組み合わせであるのが望ましく、好ましくは３〜１０％（ｗ／ｖ）、最も好ましくは４〜８％（ｗ／ｖ）の量で存在する。組成物がアルコール溶液（例えば、急速洗浄自己乾燥溶液）の場合、アルキルアルコールは５５〜７５％（ｗ／ｖ）であるのが好ましい。
アリールアルコールは、ベンジルアルコール、フェニルエチルアルコール、フェノキシエタノール、フェノキシプロパノールまたはそれらの塩素化誘導体であるのが好ましい。皮膚に適用する場合には、フェノキシエタノールおよびフェノキシプロパノールが好ましい。アリールアルコールは、３％（ｗ／ｖ）を超えない量で存在するのが好ましい。
不活性担体、例えば、水、またはエタノールなどの低級アルコールを用いることができる。
本発明の組成物は、１種以上の以下の成分をさらに含んでいてよい：
（ａ）可溶化剤、例えば、プロピレングリコール、水向性付与剤（hydrotrope）またはそれらの混合物。適当な水向性付与剤には、尿素、クメンスルホネート、トルエンスルホネート、キシレンスルホネート、およびクエン酸や他のヒドロキシカルボン酸のエタノールアミン塩が含まれる。
（ｂ）発泡剤、例えば、アルキルアミノオキシド、アルキルモノエタノールアミドまたはアルキルジエタノールアミド。発泡剤の例としては、ラウリルジエタノールアミド、ココジエタノールアミド、モノエタノールアミド濃縮物、ラウリルジメチルアミンオキシドまたはセチルジメチルアミンオキシドが挙げられる。
（ｃ）粘度調節剤、例えば、セルロース誘導体、グアル樹脂およびカルボポル樹脂。
（ｄ）保存剤、例えば、イミダゾリジニル、尿素誘導体（Ｇｅｒｍａｂｅｎｅｓ）、メチルパラベンまたはプロピルパラベン（ｐ−ヒドロキシ安息香酸エステル）。
（ｅ）他の慣用添加剤、例えば、着色剤、香料、酸化防止剤、皮膚軟化剤、モイスチャライザー、安定剤および増粘剤（例えば、カルボキシメチルセルロース）。
（ｆ）場合によって、両性界面活性剤、アニオン界面活性剤および非イオン界面活性剤を含めた追加の界面活性剤。追加の界面活性剤として適当なものには、第四級アンモニウム化合物または少量の高発泡アニオン界面活性剤、例えば、ラウリルエトキシスルホネート、サルコシネートおよびラウリルエーテル硫酸ナトリウムが挙げられる。追加成分は、組成物の他の成分、特に抗菌剤との配合における非親和性を回避するように選択される。
組成物のｐＨは、典型的には５〜７、最も好ましくは５．５に調整するが、このｐＨには限定されない。抗菌剤としてクロルヘキシジンを用いる場合、クロルヘキシジンの遊離塩基の沈殿を防止するためにｐＨは８以下にしなければならない。ｐＨの調整には、組成物に適合する大抵の有機酸、例えば、乳酸、酢酸、クエン酸およびグルコン酸を用いることができる。グルコン酸が好ましい。
本明細書に用いられている用語「含む」とは、包括的な意味、即ち、「包含する」または「含有する」という意味で用いられている。この用語は、排他的な意味（「から構成される」または「からなる」）で用いられているわけではない。
本発明の実施に最も好ましい態様
以下の実施例は、本発明の好ましい実施態様を示しているが、本発明をこれらの実施例に限定するものと解釈してはならない。
また、ここでは、本発明は濃縮物を基準として記載されているが、当業者には、そのような濃縮物は販売または使用前に（例えば、５５％に）希釈可能であることも理解されよう。
実施例
実施例Ｉ−ＷＯ９５／０９６０５による比較組成物
ラウリル硫酸ナトリウム（100%）  4.67％（ｗ／ｖ）
アルキル多糖（100%）            3.92％（ｗ／ｖ）
ココヤシベタイン（100%）        0.90％（ｗ／ｖ）
トリクロサン                    0.49％（ｗ／ｖ）
プロピレングリコール            0.254％（ｗ／ｖ）
グリセリン                      0.254％（ｗ／ｖ）
塩化ナトリウム                  0.49％（ｗ／ｖ）
クエン酸                        10％（ｗ／ｖ）まで
水                              100v%になるまでの量
実施例II−２．０％（トリクロサン）を含む市販抗菌皮膚洗浄剤比較試料
詳細な組成は不明
実施例III−市販の外科手術用スクラブ洗浄剤の比較組成物
クロルヘキシジングルコネート（ＣＨＧ）  4.0％（ｗ／ｖ）
非イオン界面活性剤*（100%）            25.00％（ｗ／ｖ）
ラウリルジメチルアミンオキシド（100%）  2.60％（ｗ／ｖ）
水  100v%になるまでの量
〔公開されたデータによる処方（Manuf.Chemist，1973年10月，
25-27ページおよびUSP3,855,140に開示〕
* ポリオキシエチレン／ポリオキシプロピレンブロックコポリマーPLURONIC F87（BASF,ドイツ）。
実施例IV−トリクロサンを含む本発明組成物
実施例１と同じ組成物に、ｎ−プロパノール５．０％（ｗ／ｖ）およびフェノキシエタノール１％（ｗ／ｖ）を加えたもの。
実施例Ｖ−トリクロサンを含む本発明組成物
実施例１と同じ組成物に、５．０％（ｗ／ｖ）のｎ−プロパノールと１％（ｗ／ｖ）のフェノキシエタノールを加え、トリクロサンを１％（ｗ／ｖ）に増量したもの。
実施例VI−クロルヘキシジングルコネートを含む本発明組成物
クロルヘキシジングルコネート（ＣＨＧ）  2.0％（ｗ／ｖ）
アルキル多糖*（100%）                   4.00％（ｗ／ｖ）
ココジエタノールアミド（100%）          2.00％（ｗ／ｖ）
プロピレングリコール                    2.0％（ｗ／ｖ）
イソプロパノール                        8.0％（ｗ／ｖ）
フェノキシエタノール                    2.0％（ｗ／ｖ）
水  100ｖ％になるまでの量
* Oramix（商標）NS10 55％（ｗ／ｖ）（Sepic SA，フランス）。
実施例VII−クロルヘキシジングルコネートを含む本発明組成物
クロルヘキシジングルコネート（ＣＨＧ）  1.0％（ｗ／ｖ）
アルキル多糖*（100%）                   4.00％（ｗ／ｖ）
ココジエタノールアミド（100%）          0.80％（ｗ／ｖ）
プロピレングリコール                    2.0％（ｗ／ｖ）
ｎ−プロパノール                        6.0％（ｗ／ｖ）
フェノキシプロパノール                  1.0％（ｗ／ｖ）
水  100ｖ％になるまでの量
* Plantaren（商標）2000（Henkel）またはAtlas（商標）G73500（ICI）などの任意の市販のアルキル多糖を使用してよい。
実施例VIII−トリクロサンを含む本発明組成物
トリクロサン                                1.0％（ｗ／ｖ）
アルキル多糖*（100%）                       4.00％（ｗ／ｖ）
２−ラウリルエーテル硫酸ナトリウム（100%）  0.20％（ｗ／ｖ）
ココジエタノールアミド（100%）              2.00％（ｗ／ｖ）
イソプロパノール                            8.0％（ｗ／ｖ）
プロピレングリコール                        10.0％（ｗ／ｖ）
保存剤**                                    1.0％（ｗ／ｖ）
フェノキシエタノール                        2.0％（ｗ／ｖ）
水  100.0ｖ％になるまでの量
*  Oramix（商標）NS12（Sepic SA，フランス）
** Germabene（商標）II 0.2％（ｗ／ｖ）
実施例IX−トリクロサンを含む本発明組成物
トリクロサン                                1.0％（ｗ／ｖ）
アルキル多糖*（100%）                       4.00％（ｗ／ｖ）
２−ラウリルエーテル硫酸ナトリウム（100%）  0.25％（ｗ／ｖ）
ナトリウムクメンスルフェート（100%）        4.00％（ｗ／ｖ）
エチルアルコール                            4.0％（ｗ／ｖ）
ｎ−プロパノール                            4.0％（ｗ／ｖ）
フェノキシエタノール                        1.5％（ｗ／ｖ）
水  100.0ｖ％になるまでの量
* Plantaren（商標）2000（Henkel）またはAtlas（商標）G73500（ICI）などの任意の市販アルキル多糖を使用してよい。
実施例Ｘ−トリクロサンを含む本発明組成物
トリクロサン                    1.00％（ｗ／ｖ）
アルキル多糖*（100%）           2.75％（ｗ／ｖ）
ココジエタノールアミド（100%）  0.80％（ｗ／ｖ）
ナトリウムキシレンスルホネート  4.00％（ｗ／ｖ）
イソプロパノール                8.0％（ｗ／ｖ）
プロピレングリコール            2.0％（ｗ／ｖ）
フェノキシエタノール            1.0％（ｗ／ｖ）
カルボキシメチルセルロース      0.6％（ｗ／ｖ）
フェノキシプロパノール          1.0％（ｗ／ｖ）
水  100.0ｖ％になるまでの量
実施例ＸＩ−ジクロロフェンを含む本発明組成物
ジクロロフェン                              1.5％（ｗ／ｖ）
アルキル多糖（100%）                        4.00％（ｗ／ｖ）
２−ラウリルエーテル硫酸ナトリウム（100%）  0.20％（ｗ／ｖ）
ココジエタノールアミド（100%）              2.00％（ｗ／ｖ）
イソプロパノール                            5.0％（ｗ／ｖ）
フェノキシエタノール                        1.0％（ｗ／ｖ）
水  100ｖ％になるまでの量
実施例ＸII−ジクロロフェンを含む本発明組成物
ジクロロフェン                             1.5％（ｗ／ｖ）
アルキル多糖（100%）                       4.00％（ｗ／ｖ）
２-ラウリルエーテル硫酸ナトリウム（100%）  0.50％（ｗ／ｖ）
ココジエタノールアミド（100%）             1.00％（ｗ／ｖ）
エタノール                                 5.0％（ｗ／ｖ）
フェノキシエタノール                       1.0％（ｗ／ｖ）
水  100ｖ％になるまでの量
トリエタノールアミンを加えてｐＨを７．０〜７．２に調整する。
多数の微生物の存在下に（欧州基準CEN/TC216/WG INに従って）懸濁テストを行った。結果を以下の表に示す。
表Ｉ−懸濁テスト
結果：ｌｏｇリダクションとして表す；
テスト温度：２３℃；
接触時間：６０秒
中和培養液：Tween 80 100g/L，レシチン50g/L，ヒスチジン1g/L
0004172659.tif 000003
実施例Ｘの組成物（1.0％（ｗ／ｖ）のトリクロサン）についても懸濁テストを行った。結果は以下の通りであった。
殺微生物結果
懸濁テスト−接触  ３０秒／濃度  ７５％
微生物のｌｏｇリダクションとして表した。
0004172659.tif 000004
本発明の組成物は、従来技術の組成物に比べて、抗菌剤の濃度がはるかに低いにも拘わらず、殺生物活性に関する有効性が同等もしくはそれ以上であり、且つ毒性が低い。
好ましい実施態様において、アルキル多糖界面活性剤を６％（ｗ／ｖ）以下の量で用いて、殺生物活性を実質的に損うことなく、トリクロサンの量を１．０％（ｗ／ｖ）から０．５％（ｗ／ｖ）に減少させることができる。良好な殺生物活性と発泡特性を維持しながら、クロルヘキシジンの量を４％（ｗ／ｖ）から２％（ｗ／ｖ）に減少できることは驚異的である。
さらに、アルキル多糖の使用量を２％という低量に押さえて、他の従来型の界面活性剤では達成できないような十分な発泡性皮膚洗浄特性が得られる。また、殺生物剤の抗菌特性と界面活性剤との公知の干渉作用も著しく減少する。
さらに、本発明の組成物は、アルキルアルコールとアリールアルコールの組み合わせを含んでいるために、シュードモナス属微生物に有効である。
本発明はＵＳ３，８５５，１４０で教示された技術に有意且つ重要な改良を加えたものである。これは、ＵＳＰ３，８５５，１４０がシュードモナスに対して活性を示さなかったのに対し、本発明の組成物が０．４９％という低量のトリクロサン含有濃度でもシュードモナスに有効であるという事実によって例証されている。
本発明の組成物は、皮膚や手の汚染除去、表面の汚染除去、スポンジや、織布、不織布の含浸などに特に適している。
本発明の組成物は全ての物質の洗浄に適している。本発明の組成物は診療施設内や手術前の手の洗浄に特に適しているが、手術用具などの無生物物質の洗浄に用いることもできる。